(57)【要約】【課題】光量を増加させても、ＬＥＤ14の発熱量の増加を抑制でき、消費電力も低減できる照明装置11を提供する。【解決手段】点灯装置22は、テレビカメラ32が露出時間を同期させて撮影するのに用いる同期信号を利用し、ＬＥＤ14をＰＷＭ制御するテレビカメラ32の露出時間には、ＬＥＤ14を点灯させるようにＰＷＭ制御する。テレビカメラ32の露出時間外には、ＬＥＤ14を消灯させるようにＰＷＭ制御する。テレビカメラ32の露出時間にＬＥＤ14の点灯を集中させて光量を増加させても、テレビカメラ32の露出時間外にＬＥＤ14を消灯することで、ＬＥＤ14の発熱量の増加を抑制し、消費電力も低減する。【選択図】図１
2010072508.tif 000002
【特許請求の範囲】
【請求項１】
テレビカメラの撮影用光源としてＬＥＤを用いる器具本体と；
テレビカメラが露出時間を同期させて撮影するのに用いられている同期信号を外部から入力する同期信号処理部と；
同期信号処理部に入力した同期信号に基づき、テレビカメラの露出時間に同期して点灯するようにＬＥＤをＰＷＭ制御する点灯装置と；
を具備していることを特徴とする照明装置。
【請求項２】
制御部は、テレビカメラの露出時間外に同期して消灯するようにＬＥＤをＰＷＭ制御する
ことを特徴とする請求項１記載の照明装置。
【発明の詳細な説明】
【技術分野】
【０００１】
本発明は、テレビカメラの撮影用光源としてＬＥＤを用いる照明装置に関する。
【背景技術】
【０００２】
テレビカメラを用いて撮影するテレビスタジオや舞台などでは、被写体を照明する照明装置が用いられている。照明装置は、一般に光源としてハロゲン電球や放電ランプが使用しているが、ＬＥＤを用いたものも開発されている。
【０００３】
ＬＥＤを用いた照明装置では、ＬＥＤをＰＷＭ制御で点灯制御して明るさを調整しているが、ＰＷＭ制御されたＬＥＤで照明される被写体をテレビカメラで撮影すると、ＰＷＭ制御の周波数帯によっては、テレビカメラで撮影するタイミングとＬＥＤの点消灯のタイミングとが適合しない場合があり、テレビカメラの映像にちらつき（フリッカ）が発生することがある。
【０００４】
そこで、テレビカメラの撮影する映像の奇数フィールドと偶数フィールドとの明るさが略同じになるように、テレビカメラの同期周波数より整数倍高い周波数でＬＥＤをＰＷＭ制御している（例えば、特許文献１参照。）。
【特許文献１】特開２００６−７９９９０号公報（第４−５頁、図１−３）
【発明の開示】
【発明が解決しようとする課題】
【０００５】
しかしながら、従来のＬＥＤを用いた照明装置では、ランプを用いた場合に比べて、光量が小さいという問題があり、光量を増加させようとすると、ＬＥＤの発熱量が増加し、高い放熱性能を有する器具構造が必要となり、消費電力も増加してしまう問題がある。
【０００６】
本発明は、このような点に鑑みなされたもので、光量を増加させても、ＬＥＤの発熱量の増加を抑制でき、消費電力も低減できる照明装置を提供することを目的とする。
【課題を解決するための手段】
【０００７】
請求項１記載の照明装置は、テレビカメラの撮影用光源としてＬＥＤを用いる器具本体と；テレビカメラが露出時間を同期させて撮影するのに用いられている同期信号を外部から入力する同期信号処理部と；同期信号処理部に入力した同期信号に基づき、テレビカメラの露出時間に同期して点灯するようにＬＥＤをＰＷＭ制御する点灯装置と；を具備しているものである。
【０００８】
照明装置は、テレビカメラを用いて撮影するテレビスタジオや舞台などでの被写体の照明に用いられる。
【０００９】
テレビカメラは、外部の同期信号発生源から同期信号を入力し、この同期信号に基づいた所定の同期周波数でシャッタが開放される露出時間に撮像し、映像を出力する。
【００１０】
ＬＥＤは、いわゆるパワー型ＬＥＤおよび砲弾型を含み、複数のＬＥＤを用いることで所定の光量が確保される。
【００１１】
器具本体は、ＬＥＤ、このＬＥＤの光を集光して照射するレンズ、ＬＥＤの熱を放熱する放熱器、電源ユニット、同期信号処理部および制御部などが配置される。
【００１２】
同期信号処理部は、有線、無線、あるいは電力線伝送方式によって、外部の同期信号発生源から同期信号を取得する。
【００１３】
点灯装置は、同期信号処理部に入力した同期信号に基づき、テレビカメラの露出時間に同期して点灯するようにＬＥＤをＰＷＭ制御する。例えば、スイッチング素子を所定の周波数でＰＷＭ制御し、ＬＥＤに供給される点灯電源を制御してＬＥＤの点灯時間を制御し、ＬＥＤの光出力を制御する。その際、テレビカメラの露出時間には、ＬＥＤを点灯させるようにＰＷＭ制御し、また、テレビカメラの露出時間外には、ＬＥＤを調光したり消灯させるようにＰＷＭ制御することが可能となる。
【００１４】
請求項２記載の照明装置は、請求項１記載の照明装置において、制御部は、テレビカメラの露出時間外に同期して消灯するようにＬＥＤをＰＷＭ制御するものである。
【００１５】
テレビカメラの露出時間外は、シャッタが開放される露出時間の間で、シャッタが閉鎖されている時間帯で、撮像しない時間帯である。
【発明の効果】
【００１６】
請求項１記載の照明装置によれば、テレビカメラが露出時間を同期させて撮影するのに用いられている同期信号を利用し、テレビカメラの露出時間には、ＬＥＤを点灯させるようにＰＷＭ制御することにより、テレビカメラの撮影に必要な光量が得られ、しかも、光量を増加させるために、テレビカメラの露出時間にＬＥＤの点灯を集中させて光量を増加させても、テレビカメラの露出時間外には、ＬＥＤを調光したり消灯させることが可能であるため、ＬＥＤの発熱量の増加を抑制でき、消費電力も低減できる。
【００１７】
請求項２記載の照明装置によれば、請求項１記載の照明装置の効果に加えて、テレビカメラの露出時間外に同期してＬＥＤを消灯させるように、ＬＥＤをＰＷＭ制御するため、ＬＥＤの発熱量の増加を抑制でき、消費電力も低減できる。
【発明を実施するための最良の形態】
【００１８】
以下、本発明の一実施の形態を、図面を参照して説明する。
【００１９】
図１は照明装置のブロック図、図２は照明装置の断面図、図３は照明装置の同期信号とカメラの同期周波数とＰＷＭ制御との関係を示す波形図である。
【００２０】
図２に示すように、照明装置11は、器具本体12を有し、この器具本体12には、テレビスタジオなどの天井に配置されるバトンなどに吊り下げ状態に取り付けられる取付部13が設けられている。
【００２１】
器具本体12の中央部付近には、器具本体12の前方に対向する一面に複数のＬＥＤ14を装着した基板15が配置されている。この基板15の他面がＬＥＤ14から基板15に伝達された熱を放熱する放熱器16に取り付けられている。
【００２２】
器具本体12の前部側には、ＬＥＤ14の光を所定の形状とするカッタやフィルタなどの光学手段17、およびＬＥＤ14の光を集光して外部に照射させる複数のレンズ18が配置されている。レンズ18はハンドル19によって光軸方向に移動し、フォーカス調整が可能になっている。
【００２３】
器具本体12の後部側には、外部から電源線が接続されて照明装置11に所定の電源を供給する電源ユニット20、外部から同期信号を入力する同期信号処理部21、およびＬＥＤ14を点灯制御する点灯装置22が配置されている。
【００２４】
次に、図１に示すように、テレビスタジオなどでは、同期信号発生源31、複数（図１には１つのみ示す）のテレビカメラ32、複数（図１には１つのみ示す）の照明装置11が配置されている。
【００２５】
同期信号発生源31は、複数のテレビカメラ32および複数の照明装置11を制御するために同期信号を出力する。
【００２６】
各テレビカメラ32は、同期信号発生源31から入力する同期信号に基づいた所定の同期周波数でシャッタが開放される露出時間に撮像し、映像を出力する。
【００２７】
同期信号発生源31とテレビカメラ32および照明装置11との間での同期信号の伝送は、有線、無線あるいは電力線伝送方式のいずれを用いてもよい。
【００２８】
照明装置11では、同期信号発生源31から伝送されてくる同期信号を同期信号処理部21が受信し、この同期信号処理部21から同期信号を点灯装置22に出力する。
【００２９】
点灯装置22は、スイッチング素子を有し、このスイッチング素子を所定の周波数でＰＷＭ制御することにより、ＬＥＤ14に供給する点灯電源を制御してＬＥＤ14の点灯時間を制御し、ＬＥＤ14の光出力を制御する。
【００３０】
さらに、点灯装置22は、図３に示すように、同期信号処理部21から入力される同期信号に基づき、テレビカメラ32の露出時間に同期して点灯するようにＬＥＤ14をＰＷＭ制御し、また、テレビカメラ32の露出時間外に同期して消灯するようにＬＥＤ14をＰＷＭ制御する。
【００３１】
このように、テレビカメラ32が露出時間を同期させて撮影するのに用いられている同期信号を利用し、テレビカメラ32の露出時間には、ＬＥＤ14を点灯させるようにＰＷＭ制御することにより、テレビカメラ32の撮影に必要な光量が得られる。
【００３２】
しかも、光量を増加させるために、テレビカメラ32の露出時間にＬＥＤ14の点灯を集中させて光量を増加させても、テレビカメラ32の露出時間外には、ＬＥＤ14を消灯させるため、ＬＥＤ14の発熱量の増加を抑制でき、消費電力も低減できる。
【図面の簡単な説明】
【００３３】
【図１】本発明の一実施の形態を示す照明装置のブロック図である。
【図２】同上照明装置の断面図である。
【図３】同上照明装置の同期信号とカメラの同期周波数とＰＷＭ制御との関係を示す波形図である。
【符号の説明】
【００３４】
11    照明装置
12    器具本体
14    ＬＥＤ
21    同期信号処理部
22    点灯装置
32    テレビカメラ
【図１】
2010072508.tif 000003
【図２】
2010072508.tif 000004
【図３】
2010072508.tif 000005